(57)【要約】【課題】  記録に使用するＤＶＤの種類によらず、記録中は追っかけ再生ができる録画再生装置を実現する。【解決手段】  番組の録画を光記録媒体にするか前記光記録媒体よりも高い転送レートで記録可能な高速転送レート記録媒体にするかを選択する選択部６１２と、前記選択部で前記光記録媒体が選択された場合に、前記高速転送レート記録媒体にも前記番組を録画する指示を行う録画指示部６１６と、前記録画指示部の指示により前記高速転送レート記録媒体に前記番組を録画すると共に追っかけ再生を行う追っかけ録画再生部３、５とを備えて構成した。【選択図】      図１
2006279811.tif 000002
【特許請求の範囲】
【請求項１】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記高速転送レート記録媒体にも前記番組を録画する指示を行う録画指示部と、
前記録画指示部の指示により、前記光記録媒体に前記番組を録画し、かつ前記高速転送レート記録媒体にも前記番組を録画すると共に追っかけ再生を行う録画再生部と、
を備えたことを特徴とする録画再生装置。
【請求項２】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記光記録媒体への記録を待つ指示を行い、かつ前記高速転送レート記録媒体にも前記番組を録画する指示を行う録画指示部と、
前記録画指示部の指示により前記高速転送レート記録媒体に前記番組を録画すると共に追っかけ再生を行う追っかけ録画再生部と、
前記番組が前記高速転送レート記録媒体に録画し終えたことを示す終点検出信号を出力する録画検出部と、
前記終点検出信号に基いて、前記録画指示部に前記光記録媒体への記録を待つ指示を解除し、前記光記録媒体に前記高速転送レート記録媒体に録画された前記番組をダビングするダビング部と、
を備えたことを特徴とする録画再生装置。
【請求項３】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記光記録媒体への記録を待つ指示を行い、かつ前記高速転送レート記録媒体にも前記番組を録画する指示を行う録画指示部と、
前記録画指示部の指示により前記高速転送レート記録媒体に前記番組を録画すると共に追っかけ再生を行う録画再生部と、
前記追っかけ再生中に前記光記録媒体に前記高速転送レート記録媒体に録画された前記番組をダビングするダビング開始時間を設定する時間設定部と、
前記ダビング開始時間に基いて、前記録画指示部に前記光記録媒体への記録を待つ指示を解除し、前記光記録媒体に前記高速転送レート記録媒体に録画された前記番組をダビングするダビング部と、
を備えたことを特徴とする録画再生装置。
【請求項４】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記光記録媒体への記録を待つ指示を行い、かつ前記高速転送レート記録媒体にも前記番組を録画する指示を行う録画指示部と、
前記録画指示部の指示により前記高速転送レート記録媒体に前記番組を録画すると共に追っかけ再生を行う追っかけ録画再生部と、
前記録画指示部に前記光記録媒体への記録を待つ指示を解除し、前記追っかけ再生中に前記光記録媒体に前記高速転送レート記録媒体に録画された前記番組を断続的にダビングするダビング部と、
を備えたことを特徴とする録画再生装置。
【請求項５】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記光記録媒体への記録を待つ指示を行い、かつ前記高速転送レート記録媒体に前記番組を録画すると共に前記番組中の音声モードをメモリに記憶させる指示を行う録画指示部と、
前記録画指示部の指示により前記高速転送レート記録媒体に前記番組を記録すると共に追っかけ再生を行う追っかけ録画記録再生部と、
前記追っかけ再生の所定時間経過後に、前記番組中に含まれる本編部とＣＭ（コマーシャル）部の音声モードを決定する音声モード決定部と、
前記音声モード決定部で決定された前記本編部と前記ＣＭ部の音声モードから前記本編部を指定する本編指定部と、
前記録画指示部に前記光記録媒体への記録を待つ指示を解除し、前記本編指定部で指定された前記本編部を前記光記録媒体にダビングするダビング部と、
を備えたことを特徴とする録画再生装置。
【請求項６】
放送される番組を光記録媒体及び／又は前記光記録媒体よりも高い転送レートで記録可能な高速転送レート記録媒体に録画する録画再生装置において、
前記番組の録画を前記高速転送レート記録媒体にするか前記光記録媒体にするかを選択する選択部と、
前記選択部で前記光記録媒体が選択された場合に、前記光記録媒体への記録を待つ指示を行い、かつ前記高速転送レート記録媒体に前記番組を録画する指示を行う録画指示部と、
前記録画指示部の指示により前記高速転送レート記録媒体に前記番組を録画すると共に追っかけ再生を行う追っかけ録画再生部と、
前記番組が前記高速転送レート記録媒体に録画し終えたことを示す終点検出信号を出力する録画検出部と、
前記終点検出信号に基いて、前記録画指示部に前記光記録媒体への記録を待つ指示を解除し、前記光記録媒体に前記高速転送レート記録媒体に録画された前記番組をダビングするダビング部と、
前記ダビング中の前記光記録媒体のエラー検出をして、エラー信号を出力するエラー検出部と、
前記エラー信号に基いて、前記高速転送レート記録媒体に記録された前記番組の消去を禁止する消去禁止部と、
を備えたことを特徴とする録画再生装置。
【発明の詳細な説明】
【技術分野】
【０００１】
本発明は、光記録媒体よりも高い転送レートで検索記録可能な高速転送レート記録媒体を内蔵し、受信される放送番組を一旦高速転送レート記録媒体に記録し、その記録された放送番組を光記録媒体にコピーする録画再生装置に関する。
【背景技術】
【０００２】
最近、受信される番組を光記録媒体（ＤＶＤ）に記録するビデオディスクレコーダが開発され、市場に導入されるようになってきた。その光記録媒体にはランダムアクセスしながら記録したり再生したりすることが出来る。
一方、ハードディスクを記録媒体として使用するハードディスクレコーダは、記録中の番組を現在から過去に連続的にタイムシフトしながら視聴できるキャッシュ再生や、過去に記録開始した番組を現在記録中の番組に追いつくようにして再生する追っかけ再生など便利な機能を有している。ＤＶＤを記録媒体とするビデオディスクレコーダもキャッシュ再生や追っかけ再生ができることが好ましい。
【０００３】
ＤＶＤ−ＲＡＭを記録媒体とするＤＶＤ記録装置は追っかけ再生ができる。ＤＶＤ−ＲＷを用いる記録装置では、媒体のアクセススピードの制約上追っかけ再生に対応することが難しく、対応する機種も限定されている。また、記録信号のビットレートが高い場合には追っかけ再生が出来ない場合もある。追っかけ再生に対応しているのはＶＲフォーマットのみであり、ＤＶＤ−ＲＷであってもビデオフォーマットで記録される場合には追っかけ再生に対応できているものは存在しない。現在市場にあるＤＶＤ記録装置の場合では、記録媒体として複数種類のＤＶＤに対応しているものの、実際に記録に使用される媒体によっては追っかけ再生が出来る場合と出来ない場合とがあり、使用者にとって煩雑であり好適な装置であるとは言い難い。
【０００４】
特許文献１には、高精細映像で放送される番組のように高い転送レートの映像信号をハードディスクに記録しつつ追っかけ再生（以降、同時記録再生と称することもある。）をしたり、記録した番組をＢＤ（Blu-ray Disc）にコピーすることのできるデータ記録再生装置が開示されている。そのデータ記録再生装置のＢＤが追っかけ再生中である場合、又は他に記録した番組を再生中であるなど、ＢＤに対する記録と再生とが同時に行われるとＢＤが扱うことの出来る記録及び再生の転送レートが不足してしまうことがある。そこで、転送レートの不足を評価する転送レート評価部を備え、転送レートが不足するとして評価された場合には、放送番組を一旦ハードディスクに記録し、ＢＤの再生が終了したときなどにハードディスクに記録した番組をＢＤにコピーするようにしたデータ記録再生装置が開示されている。
【特許文献１】特開２００４−３１０９１６公報
【発明の開示】
【発明が解決しようとする課題】
【０００５】
しかしながら、特許文献１に開示されているデータ記録再生装置では、同時記録再生が可能な記録媒体を用いて同時記録再生を行うことを想定している。同時記録再生の出来ない記録媒体にビデオ信号を記録する場合では、追っかけ再生を行うことは出来ない。記録媒体がＤＶＤ−ＲＡＭの場合は追っかけ再生が可能であり、ＤＶＤ−ＲＷの場合は使用するディスクにより、または記録するフォーマットによっては出来ないこともある。そして、ＤＶＤ−Ｒに記録する場合では、記録した信号の再生は記録を終了し、セッションをクローズしない限り記録信号を再生することは出来ないため、追っかけ再生ができない。即ち、ＤＶＤ記録再生装置では、記録媒体の種類によって追っかけ再生ができたり出来なかったりするなど使用者にとって煩雑な装置であった。
【０００６】
そこで、本発明は、上記のような問題点を解消するためになされたもので、記録時に用いる光記録媒体の種類に関らず、記録番組の追っかけ再生が可能な録画再生装置を提供することを目的とする。
【課題を解決するための手段】
【０００７】
本願発明における第１の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記高速転送レート記録媒体にも前記番組を録画する指示を行う録画指示部と、前記録画指示部の指示により、前記光記録媒体に前記番組を録画し、かつ前記高速転送レート記録媒体にも前記番組を録画すると共に追っかけ再生を行う録画再生部とを備えたことを特徴とする録画再生装置を提供する。
第２の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記光記録媒体への記録を待つ指示を行い、かつ前記高速転送レート記録媒体にも前記番組を録画する指示を行う録画指示部と、前記録画指示部の指示により前記高速転送レート記録媒体に前記番組を録画すると共に追っかけ再生を行う追っかけ録画再生部と、前記番組が前記高速転送レート記録媒体に録画し終えたことを示す終点検出信号を出力する録画検出部と、前記終点検出信号に基いて、前記録画指示部に前記光記録媒体への記録を待つ指示を解除し、前記光記録媒体に前記高速転送レート記録媒体に録画された前記番組をダビングするダビング部とを備えたことを特徴とする録画再生装置を提供する。
第３の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記光記録媒体への記録を待つ指示を行い、かつ前記高速転送レート記録媒体にも前記番組を録画する指示を行う録画指示部と、前記録画指示部の指示により前記高速転送レート記録媒体に前記番組を録画すると共に追っかけ再生を行う録画再生部と、前記追っかけ再生中に前記光記録媒体に前記高速転送レート記録媒体に録画された前記番組をダビングするダビング開始時間を設定する時間設定部と、前記ダビング開始時間に基いて、前記録画指示部に前記光記録媒体への記録を待つ指示を解除し、前記光記録媒体に前記高速転送レート記録媒体に録画された前記番組をダビングするダビング部とを備えたことを特徴とする録画再生装置を提供する。
第４の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記光記録媒体への記録を待つ指示を行い、かつ前記高速転送レート記録媒体にも前記番組を録画する指示を行う録画指示部と、前記録画指示部の指示により前記高速転送レート記録媒体に前記番組を録画すると共に追っかけ再生を行う追っかけ録画再生部と、前記録画指示部に前記光記録媒体への記録を待つ指示を解除し、前記追っかけ再生中に前記光記録媒体に前記高速転送レート記録媒体に録画された前記番組を断続的にダビングするダビング部とを備えたことを特徴とする録画再生装置を提供する。
第５の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記光記録媒体への記録を待つ指示を行い、かつ前記高速転送レート記録媒体に前記番組を録画すると共に前記番組中の音声モードをメモリに記憶させる指示を行う録画指示部と、前記録画指示部の指示により前記高速転送レート記録媒体に前記番組を記録すると共に追っかけ再生を行う追っかけ録画記録再生部と、前記追っかけ再生の所定時間経過後に、前記番組中に含まれる本編部とＣＭ（コマーシャル）部の音声モードを決定する音声モード決定部と、前記音声モード決定部で決定された前記本編部と前記ＣＭ部の音声モードから前記本編部を指定する本編指定部と、前記録画指示部に前記光記録媒体への記録を待つ指示を解除し、前記本編指定部で指定された前記本編部を前記光記録媒体にダビングするダビング部とを備えたことを特徴とする録画再生装置を提供する。
第６の発明は、放送される番組を光記録媒体及び／又は前記光記録媒体よりも高い転送レートで記録可能な高速転送レート記録媒体に録画する録画再生装置において、前記番組の録画を前記高速転送レート記録媒体にするか前記光記録媒体にするかを選択する選択部と、前記選択部で前記光記録媒体が選択された場合に、前記光記録媒体への記録を待つ指示を行い、かつ前記高速転送レート記録媒体に前記番組を録画する指示を行う録画指示部と、前記録画指示部の指示により前記高速転送レート記録媒体に前記番組を録画すると共に追っかけ再生を行う追っかけ録画再生部と、前記番組が前記高速転送レート記録媒体に録画し終えたことを示す終点検出信号を出力する録画検出部と、前記終点検出信号に基いて、前記録画指示部に前記光記録媒体への記録を待つ指示を解除し、前記光記録媒体に前記高速転送レート記録媒体に録画された前記番組をダビングするダビング部と、前記ダビング中の前記光記録媒体のエラー検出をして、エラー信号を出力するエラー検出部と、前記エラー信号に基いて、前記高速転送レート記録媒体に記録された前記番組の消去を禁止する消去禁止部とを備えたことを特徴とする録画再生装置を提供する。
【発明の効果】
【０００８】
本発明によれば、番組の録画を光記録媒体よりも高い転送レートで記録可能な高速転送レート記録媒体にするか光記録媒体にするかを選択する選択部と、前記選択部で前記光記録媒体が選択された場合に、前記高速転送レート記録媒体にも前記番組を録画する指示を行う録画指示部と、前記録画指示部の指示により、前記光記録媒体に前記番組を録画し、かつ前記高速転送レート記録媒体にも前記番組を録画すると共に追っかけ再生を行う録画再生部とを備えているので、記録時に用いる光記録媒体の種類に関らず、録画中の番組の追っかけ再生が可能な録画再生装置を実現できる。
また、光記録媒体に高速転送レート記録媒体に録画された前記番組をダビングするダビング開始時間を設定する時間設定部と、前記ダビング開始時間に基いて、前記光記録媒体に前記高速転送レート記録媒体に録画された前記番組をダビングするダビング部を備える場合は番組終了時刻の所定時間後に光記録媒体のダビングを終了させることが出来る。
また、高速転送レート記録媒体に番組を録画すると共に前記番組中の音声モードをメモリに記憶させる指示を行う録画指示部と、追っかけ再生の所定時間経過後に、前記番組中に含まれる本編部とＣＭ（コマーシャル）部の音声モードを決定する音声モード決定部と、前記音声モード決定部で決定された本編部と前記ＣＭ部の音声モードから前記本編部を指定する本編指定部と、前記本編指定部で指定された前記本編部を光記録媒体にダビングするダビング部とを備える場合ではディスクへの直接記録を選択した記録でありながら、ＣＭカットした本編部のみを光記録媒体に記録することが出来る。
また、高速転送レート記録媒体に録画した番組を光記録媒体にダビングする際のエラー検出をして、エラー信号を出力するエラー検出部と、前記エラー信号に基いて、前記高速転送レート記録媒体に記録された前記番組の消去を禁止する消去禁止部とを備える場合では、光記録媒体にエラーが存在する場合であっても録画した番組を再生することが出来る。
【発明を実施するための最良の形態】
【０００９】
以下に本発明の各実施例に係る録画再生装置について図１〜図５を用いて説明する。
図１は、本発明の実施に係る録画再生装置の構成例を示すブロック図である。
図２は、本発明の実施に係る録画再生装置の要部の構成例を示すブロック図である。
図３は、電子番組表の表示例を示した図である。
図４は、本発明の実施に係る録画予約の表示画面例を示した図である。
図５は、本発明の実施に係る記録媒体への記録再生時間の関係を例示した図である。
【００１０】
その録画再生装置は記録時に用いる光記録媒体の種類に関らず、録画中の番組の追っかけ再生が可能な録画再生装置を実現するという目的を、番組の録画を光記録媒体よりも高い転送レートで記録可能な高速転送レート記録媒体にするか光記録媒体にするかを選択する選択部と、前記選択部で前記光記録媒体が選択された場合に、前記高速転送レート記録媒体にも前記番組を録画する指示を行う録画指示部と、前記録画指示部の指示により、前記光記録媒体に前記番組を録画し、かつ前記高速転送レート記録媒体にも前記番組を録画すると共に追っかけ再生を行う録画再生部とを備えて実現した。
【００１１】
録画再生装置の構成について述べる。
図１に示す録画再生装置１は、ＴＶチューナ２１、Ａ／Ｄ変換器２２、ＭＰＥＧ−２エンコーダ２３、及びバッファメモリ２４よりなる記録部２と、ハードディスク記録再生器３１、ハードディスク３２、及び書き込み読み出し制御器３３よりなるハードディスク部３と、ＤＶＤ記録再生器４１、ＤＶＤ４２、及び書き込み読み出し制御器４３よりなるＤＶＤ部４と、バッファメモリ５１、ＭＰＥＧ−２デコーダ５２、ＯＳＤ（On Screen Display）５３、及びＤ／Ａ変換器５４よりなる再生部５と、マイコン６１、一時記憶メモリ６２、リモコンインタフェース６３、及びＥＰＧ（Electronic Program Guide）取得器６４よりなる制御部６とより構成される。再生部５のＤ／Ａ変換器にはモニタＴＶ８が接続される。リモコン９は赤外線を介してリモコンインタフェース（Ｉ／Ｆ）６３と結合される。
図２に示すマイコン６１は、番組予約部６１１、選択部６１２、検出部６１３、演算部６１４、録画指示部６１６、ＤＶＤ録画停止部６１７、コピー指示部６１８、及び再生指示部６１９より構成される。
【００１２】
録画再生装置１の動作について述べる。
まず、通信ネットワークなどを介して電子番組表（ＥＰＧ）は取得できる。そして、この電子番組表は、例えばリモコン９が操作されて予約開始の操作がなされたときに番組予約のモニタＴＶ８に表示される。リモコン９の図示しない矢印キーなどが操作され、録画予約する番組が選択される。次に、ＤＶＤ４２とハードディスク３２の表示が画面表示され、いずれかが選択される。ＤＶＤ４２が選択された場合には、標準記録速度に対する記録倍速が選択される。予約時間が到来したときに、予約して受信された番組はハードディスク３２に記録される。記録された番組は随時ハードディスク３２から再生されるようにして追っかけ再生がなされる。所定時間経過後に、ハードディスク３２に記録された番組は、その最初の部分から高速読み出しされる。高速読み出された番組はＤＶＤ４２に高速で書き込まれる。受信番組の終了時刻が過ぎた後、ＤＶＤ４２への高速書き込みが終了する。記録済みＤＶＤ４２を取り出すことが出来る。
【００１３】
ここで、例えばＤＶＤ４２としてＤＶＤ−Ｒを用いて記録した場合であっても、番組受信中は追っかけ再生が可能であり、使用者にはあたかもＤＶＤ−Ｒに記録しつつ追っかけ再生をしているように動作する。番組終了後にＤＶＤ−Ｒの記録セッションをクローズする程度の時間経過後に記録が完了する。記録媒体がＤＶＤ−ＲＡＭやＤＶＤ−ＲＷである場合には、番組終了後５〜１０秒程度で記録を終了し、ＤＶＤを取り出すことが出来る。新たなＤＶＤに交換して再生できるなど、録画再生装置１は次の動作を行える。
【００１４】
図１〜図５を参照して詳細に説明する。
録画予約に使用される電子番組表は、制御部６のＥＰＧ取得器６４により、通信ネットワークを介して又はディジタル放送の補助データから取得される。リモコン９の番組予約モードが操作されると、ＥＰＧ情報はマイコン６１の番組予約部６１１により表示用画面として生成される。その表示用画面はＯＳＤ５３で表示用信号として生成され、モニタＴＶ８に供給されて図３に示すＥＰＧ画面が表示される。リモコン９が操作され、例えば放送者Ｂの番組「ドキュメンタリ」が選択されると、選択部６１２により生成された図４（Ａ）の表示画面が提示される。記録媒体としてＤＶＤを選択し、記録倍速を４倍速として選択すると図４（Ｂ）の画面が提示される。ＯＫが操作されると録画予約が完了する。検出部６１３により予約内容が検出される。
【００１５】
演算部６１４では、受信される番組の時間（以下、番組放送時間と称することがある。）が開始、終了時刻情報から求められる。ＤＶＤ４２に高速書き込みを行う場合に要するＤＶＤ記録時間を、番組放送時間を記録倍速で除して求める。
録画指示部６１６により、予約された番組の受信時刻が到来する１分前にＴＶチューナ２１の受信チャンネルが放送者Ｂに設定される。予約番組が受信される時刻に、ハードディスク３２に受信番組を記録するための指示が出される。受信された番組はＭＰＥＧ−２エンコーダ２３で圧縮符号化され、バッファメモリ２４を介してハードディスク記録再生器３１に入力される。ハードディスク記録再生器３１では所定のエラー検出訂正符号の付加及びディジタル変調などがなされて生成された信号はハードディスク３２に供給され、記録される。
【００１６】
ここで、録画指示部６１６によりハードディスク３２への記録指示がなされる受信開始時刻において、記録ＤＶＤ録画停止部６１７からＤＶＤ４２に対してコピー動作がなされないようにコピー停止の指示が出される。ＤＶＤ４２はコピー停止（待機）の状態とされる。
【００１７】
ハードディスク３２へは記録が継続される。ハードディスク３２への記録と、記録された信号の読み出しは交互になされる。ハードディスク３２から読み出された信号はｃ側に投入されるスイッチ６８を介してバッファメモリ５１に入力される。バッファメモリ５１で、間欠される信号は連続する信号に変換され、ＭＰＥＧ−２デコーダ５２に入力される。そこでは圧縮符号化信号の復号化がなされる。復号化して得られた記録中の番組に係る信号はＯＳＤ５３及びＤ／Ａ変換器５４を介してモニタＴＶ８に入力され、表示される。
ここで、リモコン９の図示しない早戻しボタンや早送りボタンが操作されると、マイコン６１の再生指示部６１９によりハードディスク３２の読み出し場所が指示される。書き込み読み出し制御器３３によりハードディスク３２の読み出し位置が制御されてリモコン９のボタン操作に応じた再生がなされる。追っかけ再生がなされる。
【００１８】
受信終了時刻からＤＶＤ記録時間を減じたＤＶＤ記録時刻が到来したときに、ハードディスク３２に記録された信号は読み出されてＤＶＤ４２にコピーされる。即ち、マイコン６１のコピー指示部６１８から、ハードディスク３２に記録された番組が読み出され、ＤＶＤ４２にコピーするための指示が出される。スイッチ６９はｂ側に投入される。図５の（ａ）受信開始時刻から（ｂ）ＤＶＤ記録開始時刻までの期間にハードディスク３２に記録された番組は高速で読み出される。ＤＶＤ記録再生器４１ではＤＶＤ４２にディジタル記録するための信号の生成が行われる。ハードディスク３２から読み出された信号はＤＶＤ４２に記録される。書き込み読み出し制御器４３ではＤＶＤ４２に対する書き込み位置及び再生位置の制御が行われる。記録の後、（ｂ）ＤＶＤ記録開始時刻から（ｃ）受信終了時刻までの間にハードディスク３２に記録された信号は読み出されてＤＶＤ４２にコピーされる。コピー終了後、ＤＶＤ４２がＤＶＤ−ＲＷの場合にはすぐ取り出せる。ＤＶＤ−Ｒの場合には記録セッションを閉る処理の後に取り出せる。
【００１９】
この録画再生装置１は、例えば１時間番組を４倍速で記録可能なＤＶＤ４２に記録する場合では、図５の（ａ）〜（ｂ）の間はハードディスク３２のみに記録する。（ｂ）〜（ｄ）の期間にハードディスク３２の（ａ）〜（ｂ）及び（ｂ）〜（ｃ）の期間に記録された番組をＤＶＤ４２に４倍速でコピーする。従って、記録媒体がＤＶＤ−ＲＷの場合には（ｃ）番組終了時刻の後、例えば５〜１０秒後にＤＶＤ４２を取り出せる。記録媒体がＤＶＤ−Ｒである場合には（ｃ）の時点から例えば１分後に取り出し可能である。
【００２０】
録画再生装置１は、あたかも（ａ）〜（ｄ）の期間に予約された番組をＤＶＤ４２に記録しているように動作する。受信開始以前にＤＶＤ４２の装着を要求し、（ｂ）〜（ｄ）の期間は勿論のこと、（ａ）〜（ｂ）の期間においても装着されたＤＶＤ４２の取り出しを不可とする。
【００２１】
以上、電子番組表から得た番組の開始及び終了時刻情報を基に、開始時刻から受信番組をハードディスク３２に記録し、その後の所定の時刻からハードディスク３２の記録内容をＤＶＤ４２にコピーを開始し、番組終了時刻に合わせる様にしてコピーを終了させる方法について述べた。
なお、録画予約時間は電子番組表から取得するとしたが、他にＧコード予約により指定する方法、直接録画開始終了時刻を手入力で入力する方法などがある。いずれの方法によっても上記の番組予約及び動作を行うことが出来る。
【００２２】
そして、ハードディスク３２からＤＶＤ４２へのコピーを開始する時刻を図５に示した（ｃ）の時点として述べたが、（ｃ）よりも手前の時点から開始するようにしても良い。特に、終了時刻が入力されないで録画が開始された場合などには、ハードディスク３２の記録開始から例えば５分経過後ごとに記録内容をＤＶＤ４２にコピーするようにし、記録終了又は記録中断後の１分程度でＤＶＤ４２へのコピーを終了させるようにしても良い。この場合でも追っかけ再生をしながらＤＶＤ４２への記録ができる。
【００２３】
ここで、ＭＰＥＧ−２エンコーダ２３は、圧縮符号化を行うための動作時間は１倍速とされる。それは、圧縮符号化のための例えば動きベクトルを求める演算量が膨大であり、演算時間が掛かることによる。録画再生装置１は受信される番組をＭＰＥＧ−２エンコーダ２３により１倍速で圧縮符号化してハードディスク３２に記録し、記録された信号を４倍速で読み出すことによりＤＶＤ４２には４倍速での記録ができる。番組の転送レートが低くＤＶＤ４２が高速コピーに対応している場合には、８倍速、あるいはそれ以上の速度によるコピーも可能である。例えば８倍速によるコピーでは５４分の番組を７分で記録できる。ＤＶＤ４２の高倍速化は日進月歩で進んでおり、８〜１６倍速のＤＶＤはやがて製品化されると考えられる。
【００２４】
また、一般に、ＤＶＤ４２は記録、再生時に高速回転するため、ＤＶＤ駆動装置から大きな回転音（騒音）が生じる。録画再生装置１では（ａ）〜（ｂ）の期間ＤＶＤ４２は録画停止されているため、その間にＤＶＤ４２の駆動装置からは騒音が生じることはない。
【００２５】
そして、番組を視聴中である追っかけ再生時の騒音発生を防止するため、期間（ｂ）〜（ｃ）の間でも、使用者が録画再生装置１で追っかけ再生を行っている時はＤＶＤ４２へのコピーを停止させる機能を持たせても良い。その場合、使用者により行われる操作は、ＤＶＤ４２への記録終了時間を早くさせるか、又は視聴中の騒音を小さくするかのいずれかを選択可能とする。
【００２６】
また、他の応用例として、ハードディスク３２に記録を開始して、例えば５秒後からＤＶＤ４２に１倍速でコピーする方法がある。その場合は記録の中止後１０秒程度でＤＶＤ４２へのコピーを完了できると共に、ＤＶＤ４２から発生する騒音を低く抑えることが出来る。
【００２７】
さらに、ＭＰＥＧ−２エンコーダ２３で符号化した記録信号の転送レートがＤＶＤ４２の標準速度による記録レートの１／２以下の場合には、図５に示した（ａ）と（ｂ）の中間の時刻よりハードディスク３２からＤＶＤ４２へのコピーを開始するようにして、（ｃ）の番組終了時点頃にコピーを終了させるようにしても良い。それは、ＤＶＤ４２は１倍速よりも遅い速度で回転して記録することが想定されていないためであり、１倍速記録は実質的に番組の２倍速コピーになるからである。
【００２８】
ここで、受信される番組の著作権保護としてコピーワンスが指定される場合は、録画再生装置１内に２つの記録が存在することは許されない。コピーワンス指定される番組は、ハードディスク３２に記録される内容をＤＶＤ４２にコピーした後に消去する。コピー完了後にＤＶＤ４２は取り出される。ハードディスク３２に記録した番組を再生中にＤＶＤ４２の取り出し操作がなされた場合には、ハードディスク３２の再生を中止し、ハードディスク３２の記録内容を消去する。
【００２９】
また、上述の録画再生装置１はハードディスク３２に記録した圧縮符号化信号をそのままＤＶＤ４２に記録するとして述べた。しかし、長時間番組をＤＶＤ４２に記録する場合ではＤＶＤ４２の記録容量が不足することもある。そこで受信される番組を符号化したときの符号量をマイコン６１により監視しつつハードディスク３２に記録する。符号量の変化に係る情報、及び圧縮のしにくさに係る情報を一時記憶メモリ６２に記憶する。ハードディスク３２に記録された信号をＤＶＤ４２に記録する際にＭＰＥＧ−２デコーダ５２で復号化した信号をＭＰＥＧ−２エンコーダ２３でエンコードするようにしてトランスコーディングを行いつつ、符合量の小さな部分はさらに符号量を小さく再符号化してＤＶＤ４２に記録する。圧縮のしにくい画像部分は符号量を多めに割り当てて再符号化を行う。その再符号化は最初の符号化時に求めた動きベクトルをそのまま用いながら符号化できるため、符号化に要する時間は短くて済み、例えば２〜４倍速による圧縮符号化も可能となる。また、再符号化の方法としてＭＰＥＧ−２デコーダによりデコードしてからエンコードする方法の他に、離散コサイン変換して得られた計数値の量子化幅を可変させる等により、符号化された信号のうち冗長と判断されるデータ部分を更に削減する方法もある。
【００３０】
さらに、ハードディスク３２には本編部とＣＭ部とで構成される番組を全て記録し、ＤＶＤ４２にはＣＭのカットされた本編部のみを記録する方法がある。受信される番組をハードディスク３２に記録する際に受信される音声モード情報を監視しつつ、時刻毎の音声モード情報をバッファメモリ５１に記憶させる。音声モード情報が２チャンネルステレオであるか、又はモノラルや２ヶ国語の音声モードであるかを記憶する。受信開始から例えば５分以上経過した時点で、音声モードの継続する時間を調べる。例えば５分以上同一の音声モードで受信される部分は本編部として識別する。時刻（ｂ）までの間に本編部とＣＭ部とを識別できるので、時刻（ｂ）からはＣＭ部をカットした本編部のみをＤＶＤ４２にコピーすることが出来る。一般に、ディスクへの直接記録を選択した記録の場合にはＣＭカットした記録を行わなく再生時にＣＭをスキップするようにしている。本録画再生装置の場合では、受信される番組を予めハードディスク３２に記録した後にＤＶＤ４２にコピーするので、ＣＭカットした本編部のみをＤＶＤ４２に記録することが出来る。
【００３１】
ここで、ＤＶＤ４２は通常のＤＶＤ−Ｒ、ＤＶＤ−ＲＷ、ＤＶＤ＋ＲＷ、及びＤＶＤ−ＲＡＭを用いることを想定して記述したが、ＤＶＤはＢｌｕ−ＲａｙやＨＤ−ＤＶＤであっても構わない。その場合には例えば１００Ｍｂｐｓの信号の記録及び再生が出来るハードディスク３２が必要である。ハードディスクの記録容量及び転送レートの進歩は早く、将来は１００Ｍｂｐｓを超える転送レートのハードディスクを用いる録画再生装置１の実現は容易である。
【００３２】
本実施例で示した録画再生装置１によれば、電子番組表又は他の手段により番組を予約する番組予約部６１１と、前記番組の予約を磁気記録媒体（ハードディスク）３２にするか光記録媒体（ＤＶＤ）４２にするかの選択を行う選択部６１２と、前記選択部６１２で前記光記録媒体４２又は前記磁気記録媒体３２が選択されたことを検出する検出部６１３と、前記電子番組表に基づいて、又は他から得た番組の受信開始終了時刻情報に基づいて前記番組全体を前記光記録媒体４２に所定の倍速で記録した場合に要する第１時間（ｂ〜ｃ）を求める演算部６１４と、前記検出部６１３で前記光記録媒体４２が検出された場合に、前記番組の開始時刻（ａ）から前記磁気記録媒体にも記録する指示を行う録画指示部６１６と、前記番組全体を録画した場合に要する時間を第２時間（ａ〜ｃ）とし、前記第２時間（ａ〜ｃ）から前記第１時間（ｂ〜ｃ）を差し引いた時間を第３時間（ａ〜ｂ）とするとき、前記録画開始時刻（ａ）から前記第３時間（ａ〜ｂ）の間は前記光記録媒体４２に録画しない指示を行う光記録媒体録画停止部６１７と、前記録画開始時刻（ａ）から前記第３時間（ａ〜ｂ）経過した時点で前記磁気記録媒体３２に記録された前記番組の内容を前記光記録媒体４２にコピー指示を行うコピー指示部６１８とを備えているので、その録画再生装置１は記録時に用いる光記録媒体４２の種類に関らず、記録を行った番組の追っかけ再生が可能であり、且つ番組終了（ｃ）後の所定時間（ｃ〜ｄ）で光記録媒体４２の記録を終了するようにした録画再生装置１を実現できる。
【００３３】
ここで、録画再生装置１はハードディスク３２とＤＶＤ（光記録媒体）４２とを記録媒体として用いる場合について述べた。ハードディスク３２をランダムアクセスが可能でありＤＶＤ４２よりも高転送レートの信号が記録可能なテラバイトメモリーなどの巨大なメモリー（高速転送レート記録媒体）を用いて装置を実現し、上述の動作をさせることが出来る。
【００３４】
以上のように、本発明の録画再生装置によれば、番組の録画を高速転送レート記録媒体にするか光記録媒体にするかを選択する選択部６１２と、前記選択部で前記光記録媒体が選択された場合に、前記高速転送レート記録媒体にも前記番組を録画する指示を行う録画指示部６１６と、前記録画指示部の指示により、前記光記録媒体に前記番組を録画し、かつ前記高速転送レート記録媒体にも前記番組を録画すると共に追っかけ再生を行う録画再生部３、５とを備えているので、記録時に用いる光記録媒体の種類に関らず、録画中の番組の追っかけ再生が可能な録画再生装置を実現できる。
また、光記録媒体に高速転送レート記録媒体に録画された前記番組をダビングするダビング開始時間を設定する時間設定部６１４と、前記ダビング開始時間に基いて、前記光記録媒体に、前記高速転送レート記録媒体に録画された前記番組をダビングするダビング部３、６９、４を備える場合は番組終了時刻の所定時間後に光記録媒体のダビングを終了させることが出来る。
また、高速転送レート記録媒体に番組を録画すると共に前記番組中の音声モードをメモリに記憶させる指示を行う録画指示部６１６と、追っかけ再生の所定時間経過後に、前記番組中に含まれる本編部とＣＭ（コマーシャル）部の音声モードを決定する音声モード決定部６１と、前記音声モード決定部で決定された本編部と前記ＣＭ部の音声モードから前記本編部を指定する本編指定部６１と、前記本編指定部で指定された前記本編部を光記録媒体にダビングするダビング部６１８とを備える場合ではディスクへの直接記録を選択した記録でありながら、ＣＭカットした本編部のみを光記録媒体４２に記録することが出来る。
また、高速転送レート記録媒体に録画した番組を光記録媒体にダビングする際のエラー検出をして、エラー信号を出力するエラー検出部４１と、前記エラー信号に基いて、前記高速転送レート記録媒体に記録された前記番組の消去を禁止する消去禁止部６１とを備える場合では、光記録媒体にエラーが存在する場合であっても録画した番組を再生することが出来る。
【産業上の利用可能性】
【００３５】
ハードディスク及びＤＶＤを記録媒体として用い、受信される番組を記録する録画再生装置に適用できる。
【図面の簡単な説明】
【００３６】
【図１】本発明の実施に係る録画再生装置の構成例を示すブロック図である。
【図２】本発明の実施に係る録画再生装置の要部の構成例を示すブロック図である。
【図３】電子番組表の表示例を示した図である。
【図４】本発明の実施に係る録画予約の表示画面例を示した図である。
【図５】本発明の実施に係る記録媒体への記録再生時間の関係を例示した図である。
【符号の説明】
【００３７】
１    録画再生装置
２    記録部
３    ハードディスク部
４    ＤＶＤ部
５    再生部
６    制御部
８    モニタＴＶ
９    リモコン
２１    ＴＶチューナ
２２    Ａ／Ｄ変換器
２３    ＭＰＥＧ−２エンコーダ
２４    バッファメモリ
３１    ハードディスク記録再生器
３２    ハードディスク
３３    書き込み読み出し制御器
４１    ＤＶＤ記録再生器
４２    ＤＶＤ
４３    書き込み読み出し制御器
５１    バッファメモリ
５２    ＭＰＥＧ−２デコーダ
５３    ＯＳＤ
５４    Ｄ／Ａ変換器
６１    マイコン
６２    一時記憶メモリ
６３    リモコンインタフェース
６４    ＥＰＧ取得器
６１１    番組予約部
６１２    選択部
６１３    検出部
６１４    演算部
６１６    録画指示部
６１７    ＤＶＤ録画停止部
６１８    コピー指示部
６１９    再生指示部
【図１】
2006279811.tif 000003
【図２】
2006279811.tif 000004
【図３】
2006279811.tif 000005
【図４】
2006279811.tif 000006
【図５】
2006279811.tif 000007